(57)【特許請求の範囲】
【請求項１】
遊技球を転動させて案内する案内樋の案内路に、長手方向の全域に亘って延びる立壁を前記案内路の底面から上方へ突設させ、前記立壁を前記案内路の幅方向に二列平行に設けてこれら立壁により持ち上げられた状態で遊技球が前記案内樋内を転動するようになし、前記二列の立壁の間に塵排出口を形成するとともに、前記案内樋の一端部で前記立壁を一端に向けて高くなるように形成し、かつ前記案内樋の側壁の外面には上下方向へ延びる強化リブを形成したことを特徴とする遊技球の案内樋。
【請求項２】
前記案内樋は仕切壁によって区画された少なくとも二列の平行な案内路を有するものである請求項１に記載の遊技球の案内樋。
【発明の詳細な説明】
【０００１】
【発明の属する技術分野】
本発明は遊技球の案内樋に関し、特に、パチンコ遊技盤において予備球貯留タンクから賞品球払い出し装置へ遊技球を供給するためのタンクレールに使用して好適な案内樋に関する。
【０００２】
【従来の技術】
パチンコ遊技機のタンクレールとして使用される案内樋４は図８に示すように、裏機構盤３の最上位置に設けられた予備球貯留タンク３１と賞品球払い出し装置３２との間を結ぶもので、遊技球は二列になって案内樋４内を予備球貯留タンク側３１から賞品球払い出し装置３２側へ送られる。このような案内樋４の構造の一例を図９、図１０に示す（例えば特許第２６８７１１２号）。
【０００３】
図９は案内樋４の要部平面図であり、図１０は図９のX−X線に沿った断面図である。案内樋４には中央の仕切壁４１によって二列の案内路Ｐ１，Ｐ２が形成されており、一方の案内路Ｐ１は側壁４２によって区画され、他方の案内路Ｐ２は裏機構盤３の盤面３ａによって区画されている。各案内路Ｐ１，Ｐ２には中央に長手方向へ延びる一定幅の溝状塵排出口４３，４４が形成されて、遊技球Ｂ１，Ｂ２に付着して至った微少な塵等を当該塵排出口４３，４４から排出するようにしている。そして、案内樋４の長手方向には所定間隔で、底壁４５の下面を樋幅方向へ延びる横梁４６が形成されて樋の強度を確保している。
【０００４】
【発明が解決しようとする課題】
しかし、上記従来の案内樋では、図１０に示すように溝開口４３，４４から排出されなかった塵Ｄが案内路の両側コーナ部に溜まって遊技球Ｂ１，Ｂ２のスムーズな移動を阻害し、往々にして球詰まりを生じるという問題があった。また、横梁４６を形成しても案内樋４の長手方向の強度は未だ不十分で、遊技球Ｂ１，Ｂ２の重量で案内樋４が長手方向の一部で大きく下方へ湾曲して、これによっても球詰まりを生じることがあった。さらに、案内樋を一体樹脂成形する場合に、底壁下面に横梁４６のある構造では成形に手間取るという問題もあった。
【０００５】
そこで、本発明はこのような課題を解決するもので、球詰まりを生じず、かつ成形も容易な遊技球の案内樋を提供することを目的とする。
【０００７】
【課題を解決するための手段】
上記目的を達成するために、本第１発明の遊技球の案内樋では、遊技球（Ｂ１，Ｂ２）を転動させて案内する案内樋（１）の案内路（Ｐ１，Ｐ２）に、長手方向の全域に亘って延びる立壁（１３１〜１３４）を案内路（Ｐ１，Ｐ２）の底面から上方へ突設させ、立壁（１３１〜１３４）を案内路（Ｐ１，Ｐ２）の幅方向に二列平行に設けてこれら立壁（１３１〜１３４）により持ち上げられた状態で遊技球（Ｂ１，Ｂ２）が案内樋（１）内を転動するようになし、二列の立壁（１３１〜１３４）の間に塵排出口（１７，１８）を形成するとともに、案内樋（１）の一端部（１３５）で立壁（１３１〜１３４）を一端に向けて高くなるように形成し、かつ案内樋（１）の側壁（１１）の外面には上下方向へ延びる強化リブ（１９）を形成する。本第１発明においては、遊技球は高くした案内路の立壁上を転動するから、底面上に溜まった塵等の影響を受けることなくスムーズに案内路内を移動し、球詰りの発生が防止される。立壁は強化リブとしても機能するから、遊技球の重量を受けて長手方向の一部で案内樋が大きく下方へ撓むことが防止され、これによっても球詰りの発生が防止される。また、底壁下面に従来のような横梁を形成する必要が無いから成形も容易である。本発明においては、遊技球に付着して至った塵等が塵排出口を経て落下排出され、塵等が案内樋の後段に運ばれるのが防止される。また、二列の立壁によって遊技球を安定的に持ち上げることができる。さらに、案内樋の一端部で立壁を一端に向けて高くなるように形成したから、案内樋の上記一端部を予備球貯留タンクの遊技球排出口近くに位置させれば、遊技球をタンク近傍で球詰りを生じることなくスムーズに案内路へ送り出すことができる。
【００１２】
本第２発明では、案内樋（１）は仕切壁（１４）によって区画された少なくとも二列の平行な案内路（Ｐ１、Ｐ２）を有するものである。本第２発明においては遊技球を複数列で同時に送ることができる。
【００１３】
なお、上記カッコ内の符号は、後述する実施形態に記載の具体的手段との対応関係を示すものである。
【００１４】
【発明の実施の形態】
（第１実施形態）
図１にはタンクレールとして使用される案内樋１の全体側面図を示し、図２にはその全体平面図を、また、図３には図２のIII−III線に沿った断面図を示す。案内樋１は樹脂材の一体成形品で、その側壁１１は予備球貯留タンク３１（図８）に近い一端部の端壁１２前縁（図２の下縁）から、裏機構盤の盤面３ａと一定間隔を保って賞品球払い出し装置３２（図８）に近い他端へ延びている。側壁１１と盤面３ａとの間に形成された案内樋１の底壁１３上には中央に仕切壁１４が垂設されて、長手方向へ平行に延びる二列の案内路Ｐ１，Ｐ２が形成されている。案内路Ｐ１，Ｐ２は案内樋１の一端から突出するフランジ部１５と底壁１３から突出するフランジ部１６の、それぞれ盤面３ａに近い位置に設けられた各取付孔１５１，１６１〜１６４によって上記盤面３ａに固定される。
【００１５】
側壁１１と仕切壁１４、および仕切壁１４と盤面３ａによってそれぞれ区画形成された各案内路Ｐ１，Ｐ２の底壁１３には図４に示すように、左右位置を平行に延びる各一対の立壁１３１，１３２と１３３，１３４が形成されており、これら立壁１３１〜１３４によって底壁１３から持ち上げられた状態で遊技球Ｂ１，Ｂ２が転動するようになっている。そして、左右の立壁１３１，１３２，１３３，１３４の間の底壁１３には図５に示すような一定幅の塵排出口１７，１８が長手方向へ間隔をおいて（図３に一方のみ示す）所定長さで複数形成されている。また、側壁１１の一端側半部の外面には上下方向へ延びる凸条が強化リブ１９として形成されている（図１、図２、図６）。なお、図３に示すように各立壁１３１〜１３４は一端部１３５（立壁１３２のみ図示）が案内樋１の一端に向けて双曲線状に高くなっている。
【００１６】
このような構造の案内樋１において、予備球貯留タンク３１（図８）から排出された遊技球Ｂ１，Ｂ２は案内樋１の各案内路Ｐ１，Ｐ２に落下してこれに沿って賞品球払い出し装置３２へ向けて転動する。この際、遊技球Ｂ１，Ｂ２は各案内路Ｐ１，Ｐ２の立壁１３１〜１３４上を転動するが、立壁１３１〜１３４は一端部１３５が予備球貯留タンク３１の出口方向へ向けて双曲線的に高くなっているから、上記タンク３１から排出された遊技球Ｂ１，Ｂ２はタンク近傍で球詰りを生じることなくスムーズに案内路Ｐ１，Ｐ２へ送り出される。
【００１７】
案内路Ｐ１，Ｐ２の立壁１３１〜１３４上を転動する遊技球Ｂ１，Ｂ２に付着している塵Ｄは左右の立壁１３１〜１３４の間に形成された塵排出口１７，１８から樋外へ排出される。この時、図４、図５に示すように、排出されない塵Ｄが立壁１３１〜１３４と側壁１１、仕切壁１４、あるいは盤面３ａとの間の底壁１３上に溜まっても、遊技球Ｂ１，Ｂ２は立壁１３１〜１３４によって底壁１３から上方へ持ち上げられた状態で転動しているから、底壁１３上に溜まった塵Ｄ等の影響を受けることなくスムーズに案内路Ｐ１，Ｐ２内を移動する。これにより球詰りの発生が防止される。
【００１８】
また、案内樋１を長手方向へ延びる立壁１３１〜１３４は強化リブとして機能するから、長手方向の一部で遊技球Ｂ１，Ｂ２の重量を受けて案内樋１が大きく下方へ撓むことはなく、これによっても球詰りの発生が効果的に防止される。さらに、案内樋１の側壁１１には一端側半部の外面に強化リブ１９が形成されているから、遊技球Ｂ１，Ｂ２の荷重を受けて側壁１１が外方へ拡がり変形することはない。これにより、予備球貯留タンク３１から排出された遊技球Ｂ１，Ｂ２が案内路Ｐ１，Ｐ２内で大きく左右方向へ振れることはなく、遊技球Ｂ１，Ｂ２の列が乱れることによる球詰りの発生も回避される。また、本実施形態の案内樋１では従来のような底壁下面の横梁４６（図１０）を形成する必要が無いから成形が容易である。
【００２０】
上記実施形態において、案内路は必ずしも二列とする必要はなく、一列、あるいは三列以上とすることができる。
【００２１】
【発明の効果】
以上のように、本発明の遊技球の案内樋は、球詰まりを生じず、かつ成形も容易である。
【図面の簡単な説明】
【図１】本発明の第１実施形態を示す、案内樋の全体側面図である。
【図２】案内樋の全体平面図である。
【図３】図２のIII−III線に沿った断面図である。
【図４】図１のIV−IV線に沿った断面図である。
【図５】図１のV−V線に沿った断面図である。
【図６】図１のVI−VI線に沿った断面図である。
【図７】本発明の第２実施形態を示す、案内樋の横断面図である。
【図８】パチンコ遊技機の背面図である。
【図９】従来の案内樋の部分平面図である。
【図１０】図９のX−X線に沿った断面図である。
【符号の説明】
１…案内樋、１３１，１３２，１３３，１３４，１３６，１３７…立壁、１３５…一端部、１７，１８，２１，２２，２３，２４…塵排出口、Ｂ１，Ｂ２…遊技球、Ｐ１，P２…案内路。
【図１】
0003851496.tif 000002
【図２】
0003851496.tif 000003
【図３】
0003851496.tif 000004
【図４】
0003851496.tif 000005
【図５】
0003851496.tif 000006
【図６】
0003851496.tif 000007
【図７】
0003851496.tif 000008
【図８】
0003851496.tif 000009
【図９】
0003851496.tif 000010
【図１０】
0003851496.tif 000011